(57)【特許請求の範囲】
【請求項１】
糊付機本体とともに壁紙裁断装置とを備え、糊付機本体では糊付ロールによりクロスに糊付し、壁紙裁断装置においては糊付けに先立って所定巾に裁断する自動糊付機であって、糊付機本体への壁紙裁断装置の取付対向部では、糊付機本体と壁紙裁断装置の各々の上下部に被係止体部と係止体部のいずれかが設けられ、係止体部の少くとも一つは、変形して係合可能な弾性係止体部であり、これらの被係止体部と係止体部とにより、糊付機本体に壁紙裁断装置がワンタッチ装着脱自在とされていることを特徴とする自動糊付機。
【請求項２】
被係止体部は、剛性のピン体であり、また弾性係止体部はこのピン体に係合する溝部または突起部を持つ弾性係止片である請求項１の自動糊付機。
【請求項３】
係止体部は、上部の被係止体部に対してはその上部で、また、下部の被係止体部に対してはその下部で係止・係合する請求項１または２の自動糊付機。
【請求項４】
被係止体部は、糊付機本体の取付対向部の上下部に設けられ、壁紙裁断装置の上下部いずれかの係止体部がこの被係止体部の一方に引掛け係止され、次いで弾性係止体部がもう一方の被係止体部に係合される請求項１、２または３の自動糊付機。
【請求項５】
糊付機本体とともに壁紙裁断装置とを備えた自動糊付機であって、壁紙裁断装置では刃物部シャフトを支持する軸受部が、これを固定するためのステーに設けられた溝部内にスライド自在に配設されたナットにネジ止めされて、軸受部を取外さなくともネジをゆるめるだけで刃物交換が可能とされていることを特徴とする自動糊付機。
【発明の詳細な説明】
【０００１】
【発明の属する技術分野】
この発明は、自動糊付機に関するものである。さらに詳しくは、この発明は、壁紙裁断装置の取付けがワンタッチで容易とされ、しかも壁紙裁断装置の上下動の抑制効果に優れ、刃物交換も容易な新しい自動糊付機に関するものである。
【０００２】
【従来の技術とその課題】
従来より、壁紙や襖紙等に均一に、効率よく糊付するための自動糊付機が知られており、この自動糊付機は、原反クロスロールから引出された壁紙や襖紙等クロスを歯車等で駆動されている送り込みロールにより糊付ロールに送り込み、自動糊付した後に、ならしロールおよび糊切り等を介して糊付されたクロスを送り出すようにした構成を有している。
【０００３】
そして、通常は、上記のような糊付に先立って、原反クロスロールから引出されたクロスを、糊付機本体に装着されたスリッターとも呼ばれる壁紙裁断装置を用いて所要の巾に裁断してもいる。
すなわち、たとえば添付した図面の図６は、自動糊付機の外観を例示した斜視図であるが、自動糊付機本体（１）は、糊箱、糊付ロール等を内蔵するとともに、検尺ロール、ハイテンションロール等を備えて開閉自在とされているカバー体（２）を有し、その下部には、クロス芯棒（３）によって回動支持アーム（４）に支持されたクロス原反ロール（５）を配置するようにしている。また、糊付機本体（１）には、自動糊付のための指示・制御を行う電気ボックス（６）が着脱自在に取付けられ、カバー体（２）は、開閉動作が容易とされている。また、自動糊付機本体（１）には、クロスを所定の巾に裁断するための壁紙裁断装置（８）が着脱自在に装着されている。
【０００４】
図７は、このような従来の自動糊付機について、糊付機本体（１）への壁紙裁断装置（８）の取付け装着部を拡大して示した要部斜視図である。糊付機本体（１）に取付けられる壁紙裁断装置（８）は、糊付機本体（１）のロールの駆動のための歯車に連結する駆動連結用歯車（８１）を備え、この駆動連結用歯車（８１）の駆動回転を伝達することで、上刃部（８２）と下刃部（８３）によるクロス裁断を可能としている。
【０００５】
このような壁紙裁断装置（８）は、従来では、引掛けフック（８４）を糊付機本体（１）のフレームのステーに引掛けて係止した後に、図７に示したように、糊付機本体（１）に設けた止め金（１１）にパチン錠（８５）を掛けて糊付機本体（１）に取付け固定している。
以上のような壁紙裁断装置の取付け装着は、作業合理化の観点より工夫されてきたものである。
【０００６】
しかしながら、この従来の取付けでは、上記の通りパチン錠（８５）による取付け固定であるため、作業者にとっては、糊付機本体（１）の止め金（１１）へのリング体（８６）の引掛けによる固定はけっこう煩わしいもので、ワンタッチで装着できるという簡便な取付け構造ではなかった。
また、この従来のパチン錠（８５）による装着については、壁紙裁断装置（８）の作業時における上下動を長期にわたってさらに充分に抑制して安定した裁断を行うようにするのが望ましく、別途、そのための機構を設けることも考慮されている。
【０００７】
しかも、従来の壁紙裁断装置（８）には以上のような糊付機本体（１）への取付けにともなう課題とともに、裁断のための刃物の交換の点についてもさらに改善すべき課題があった。
それと言うのも、図７に示したように、壁紙裁断装置（８）では、上刃部（８２）と下刃部（８３）が設けられているが、これらを支持する上刃用シャフト（８７）や下刃用シャフト（８８）を受ける軸受として、図８にも示したように、ステー（８９）に対して、これに設けた穴を通して、ベアリングやブッシュ等を備えた軸受けブラケット（９０）をネジ（９１）に固定しているため、たとえば摩耗した上刃部（８２）や下刃部（８３）を交換する際にはこのネジ（９１）を完全に取外して、改めて所定の位置にネジ止めしなければならないため、刃物交換は面倒で大変に手間がかかるという問題があったからである。
【０００８】
この発明は、以上の通りの従来の自動糊付機、特に、糊付機本体への壁紙裁断装置の取付けや刃物交換のための構造についての問題を解消するためになされたものであって、壁紙裁断装置の装着が簡便にワンタッチで可能とされ、別の機構を採用しなくとも、長期にわたって壁紙裁断装置の作動時の上下動を充分に抑制することができて、安定した裁断を可能とし、しかもその刃物交換も容易な、改良された自動糊付機を提供することを目的としている。
【０００９】
【課題を解決するための手段】
この発明は、上記の課題を解決するものとして、糊付機本体とともに壁紙裁断装置とを備え、糊付機本体では糊付ロールによりクロスに糊付けし、壁紙裁断装置においては糊付けに先立って所定巾に裁断する自動糊付機であって、
糊付機本体への壁紙裁断装置の取付対向部では、糊付機本体と壁紙裁断装置の各々の上下部に被係止体部と係止体部のいずれかが設けられ、係止体部の少くとも一つは、変形して係合可能な弾性係止体部であり、これらの被係止体部と係止体部とにより、糊付機本体に壁紙裁断装置がワンタッチ装着脱自在とされていることを特徴とする自動糊付機（請求項１）を提供する。
【００１０】
そしてまた、この発明は、上記の態様の一つとして、次のものも提供する。
すなわち、被係止体部は、剛性のピン体であり、また、弾性係止体部は、このピン体に係合する溝部または突起部を持つ弾性係止片である自動糊付機（請求項２）、
係止体部は、上部の被係止体部に対してはその上部で、また、下部の被係止体部に対してはその下部で係止・係合する自動糊付機（請求項３）、
被係止体部は、糊付機本体の取付対向部の上下部に設けられ、壁紙裁断装置の上下部いずれかの係止体部がこの被係止体部の一方に引掛け係止され、次いで弾性係止体部がもう一方の被係止体部に係合される自動糊付機（請求項４）等も提供する。
【００１１】
さらにこの発明は、糊付機本体とともに壁紙裁断装置とを備えた自動糊付機であって、壁紙裁断装置では刃物部シャフトを支持する軸受部が、これを固定するためのステーに設けられた溝部内にスライド自在に配置されたナットにネジ止めされて、軸受部を取外さなくともネジをゆるめるだけで刃物交換が可能とされていることを特徴とする自動糊付機（請求項５）をも提供する。
【００１２】
【発明の実施の形態】
この発明の自動糊付機においては、上記の構成によってワンタッチで簡便に壁紙裁断装置を糊付機本体に取付け装着を可能とし、その作動時における上下動を効果的に抑制して安定したクロス裁断を可能とする。そして、刃物交換を容易ともしている。
【００１３】
そこで、以下、実施例を示し、さらに詳しくこの発明の自動糊付機について説明する。
【００１４】
【実施例】
図１および図２は、この発明の自動糊付機における壁紙裁断装置の取付け構造の一例を示したものである。このいずれの例の場合にも、糊付機本体（１）の取付対向部の上下部には、剛性の糊付機本体に装着のステーもしくはピン体（１１１）とピン体（１１２）からなる被係止体部が設けられており、また、壁紙裁断装置（８）の取付対向部の上部には、剛性のフック片（８１１）からなる係止体部が前記の上部のステーまたはピン体（１１１）の上部に係止されるものとして設けられている。そしてまた、壁紙裁断装置（８）の取付対向部の下部には、前記の下部ピン体（１１２）を挾持してこれに係合するバネ材からなる弾性フック挾持片（８１２）が設けられている。この弾性フック挾持片（８１２）は、スリットと溝部とを持ち、ピン体（１１２）への挿入時に変形して、しっかりとピン体（１１２）に係合される構造を有している。
【００１５】
壁紙裁断装置（８）の取付け装着時には、まずその上部のフック片（８１１）を糊付機本体の上部のステーまたはピン体（１１１）に引掛け、次いで、壁紙裁断装置（８）を図１に示したように前方（矢印Ａ）に押し、糊付機本体（１）の下部のピン体（１１２）に弾性フック挾持片（８１２）を押し込み係合させる。この押し込みによりワンタッチでの装着が可能となる。逆に取りはずし時には、後方に引張るだけで、ピン体（１１２）から弾性フック挾持片（８１２）がはずれることになる。
【００１６】
この構造においては、糊付機本体（１）の上下部のステーやピン体（１１１）（１１２）に対して、各々の上部、下部より係止片としてのフック片（８１１）および弾性挾持フック片（８１２）が係合しているため、壁紙裁断装置の作動時においても、その上下動は効果的に抑止されることになる。このため安定したクロス裁断が可能となる。
【００１７】
もちろん、以上の例においても、糊付機本体（１）、壁紙裁断装置（８）の有するロール等の構造や刃物の配置構造等は従来のものと相違ないものとすることができ、またそれらの改良が施された任意のものであってよい。
図３は、また別の例を示したものである。
この例においては、上記の例とは異って、糊付機本体（１）の下部のピン体（１１２）に、壁紙裁断装置（８）に設けた下部の剛性フック片（８１３）が係止され、次いで上部のステーまたはピン体（１１１）に、突起を持ったバネ材からなる弾性フック片（８１４）が係合される構造が採用されている。
【００１８】
この場合、下部の剛性フック片（８１３）は下部のピン体（１１２）に対してその上部より、また弾性フック片（８１４）は、上部のステーまたはピン体（１１１）に対してその下部より係合する等の態様も適宜に考慮される。
これらのいずれの場合にも、取付け装着はワンタッチで簡便に行われる。また、壁紙裁断装置（８）の作動時の上下動を抑えられることになる。
【００１９】
以上の例はいずれも、弾性係止体部を壁紙裁断装置の側に有しているが、これに限られることなく、それを糊付機本体側に持っていてもよい。そして、この発明では、以上の例に限定されることなく、その細部において、たとえば弾性係止体部の材質、形状、あるいは剛性の係止体部や被係止体部の形状、それらの配置位置、個数等も適宜に決めることができる。
【００２０】
図４は、たとえば上記の壁紙裁断装置（８）について、刃物交換容易なこの発明の構造例を示したものである。
すなわち、たとえば前出の図７にも示した上刃部（８２）や下刃部（８３）が摩耗したりして交換する場合に、この交換を容易とするために、図４に例示したように刃物シャフトを支持する軸受ブラケット（８１５）が、これを固定するためのステー（８１６）に設けられた溝部（８１７）内にスライド自在に配設されたナット（８１８）にネジ（８１９）により止められるようにしている。
【００２１】
この構造では、図５にも例示したように、ネジ（８１９）を完全に取外さずに、ゆるめただけの状態で、軸受ブラケット（８１５）をスライドできるため、このスライドによりシャフトからの刃物の取外し、そして刃物交換が可能となる。
このため、刃物の交換、さらには壁紙裁断装置の組立そのものが容易となる。また、従来のように、ステー（８１６）にネジ止め用の穴やタップ加工する必要がなく、ステー（８１６）の加工が少なくてすむため、加工費も低減されることになる。溝部（８１７）はステー（８１６）の押出し成形により容易に形成されるのである。
【００２２】
もちろん、この発明は以上の例に何ら限定されない。その細部の態様において様々に可能である。
【００２３】
【発明の効果】
以上詳しく説明した通り、この発明により、糊付機本体への壁紙裁断装置のワンタッチでの簡便な装着とその脱着が可能となる。その作動時における壁紙裁断装置の上下動が充分に抑制されることになる。
壁紙裁断装置の刃物交換、さらにその組立ても極めて容易となる。
【図面の簡単な説明】
【図１】この発明の一例を示した側面図と要部の側面・正面図である。
【図２】別の一例を示した側面図と要部の側面・正面図である。
【図３】この発明のさらに別の例を示した側面図である。
【図４】この発明の刃物交換容易な壁紙裁断装置の一例を示した要部分解斜視図である。
【図５】図４に対応するネジをゆるめた状態の軸受ブラケットを示した要部斜視図である。
【図６】壁紙糊付機の全体を示した外観斜視図である。
【図７】糊付機本体と壁紙裁断装置との従来の取付け構造を示した要部斜視図である。
【図８】従来の壁紙裁断装置における軸受ブラケットの固定を示した分解斜視図である。
【符号の説明】
１  糊付機本体
２  カバー体
３  クロス芯棒
４  回動支持アーム
５  クロス原反ロール
６  電気ボックス
８  壁紙裁断装置
１１  止め金
８１  駆動連結用歯車
８２  上刃部
８３  下刃部
８４  引掛けフック
８５  パチン錠
８６  リング体
８７  上刃用シャフト
８８  下刃用シャフト
８９  ステー
９０  軸受ブラケット
９１  ネジ
１１１  上部ステーまたはピン体
１１２  下部ピン体
８１１  フック片
８１２  弾性挾持フック片
８１３  フック片
８１４  弾性フック片
８１５  軸受ブラケット
８１６  ステー
８１７  溝部
８１８  ナット
８１９  ネジ
【図１】
0003632867.tif 000002
【図２】
0003632867.tif 000003
【図３】
0003632867.tif 000004
【図４】
0003632867.tif 000005
【図５】
0003632867.tif 000006
【図６】
0003632867.tif 000007
【図７】
0003632867.tif 000008
【図８】
0003632867.tif 000009